(57)【要約】【課題】指保護鞘の爪露出窓を厳密に調整しないと、必要なエナメル塗装爪部のみを綿状体に接触させ、確実に選択払拭して皮膚を傷めないでエナメルを除去する事が困難であった。また指保護鞘の回転モーメントを大き目にしないと回転容易でない場合があった。【解決手段】略中空円錐状の指保護鞘の下端部回転軸を、指軸ないし前記円錐中心線からズラして両者間を角度θで交叉させ、エナメル塗装爪表面外径部を従来のｒよりも大きい半径Ｒ（＝ｒ＋Δｒ）で平面図で見て扇形に回動可能とし、回転モーメントを大きくとる。その他爪露出部に自動カバーを設けたり、据置型マルチ爪エナメル除去器やペディキュア爪エナメル除去器等を工夫した。【選択図】　　　　　図１Ａ
2004008427.tif 000002
【特許請求の範囲】
【請求項１】
除去液を含浸した綿状体を内壁面に沿って収容する略有底筒状容器と、上部開口端にそのフランジ部を回動可能に懸架され前記有底筒状容器内の底部に枢着される下端部付近から上方に向って開口する爪露出窓を備える有底筒状もしくは底方向に向ってすぼまる略中空円錐状の指保護鞘（１箇以上）と、該上部開口端付近の螺子部で螺着される逆Ｕ字型断面の容器蓋とを備えてなる爪エナメル除去器において、前記指保護鞘の下端部軸心ＰＣが爪露出窓の反対方向に指軸ＦＡとの交叉角θ（１°≦θ≦３０°）だけ偏心している事を特徴とする爪エナメル除去器。
【請求項２】
指保護鞘が、おおよそ人の手指もしくは足指の最大公約数的断面の連続体である内腔部を有する弾性プラスチックおよび／もしくはゴムおよび／もしくは金属および／もしくはセラミック製の指保護鞘である請求項１に記載の爪エナメル除去器。
【請求項３】
指保護鞘が、上部の指先挿入口内側に軟質プラスチック膜でなる１対の重合する半月形閉止弁を備える指保護鞘である請求項１ないし２に記載の爪エナメル除去器。
【請求項４】
除去液が、溶剤および／もしくは洗剤と水とでなる除去液である請求項１ないし３に記載の爪エナメル除去器。
【請求項５】
指保護鞘の弾性プラスチックおよび／もしくはゴム製フランジ部内に環状もしくは部分環状の空洞を備える請求項１ないし４に記載の爪エナメル除去器。
【請求項６】
環状もしくは部分環状の空洞内に、予め除去液を内蔵させ、指の外拡加圧運動により空洞の下方に設けられた小孔より該除去液を容器内の綿状体に供給可能とした請求項１ないし５に記載の爪エナメル除去器。
【請求項７】
小孔が注射針によって穿設された自動閉止型小孔である請求項６に記載の爪エナメル除去器。
【請求項８】
綿状体が、連続気泡多数を備える反転厚肉管状スポンジ（軟質プラスチック発泡体）である請求項１ないし７に記載の爪エナメル除去器。
【発明の詳細な説明】
【０００１】
【産業上の利用分野】
本発明は爪エナメル除去器に関し、より詳しくは特に手または足指先の略爪エナメル塗布部のみを除去液を含んだ綿状体に対し扇型曲面で接触摩擦させる事の可能な手または足指先の爪エナメル除去器に関する。
【０００２】
【従来の技術と課題】
従来マニキュア（爪エナメル）は手の爪に施す化粧の一つとして行われている。また足の爪の場合はペディキュアと呼ばれているようである。いづれも爪に透明もしくは着色エナメルを塗る美容術の一種である事に変わりはない。マニキュア自体は主としてニトロセルロースからなる被膜形成剤、被膜に光沢と密着生を与える樹脂類、可塑剤、アルコール、エステル、ケトン類等からなる溶剤、および染料または顔料である着色料から成っている。以下マニキュアと云う時は原則としてベディキュアも含むものとする。
【０００３】
最近は被膜形成剤のニトロセルロースが爪の成分である蛋白質の一種であるケラチンと反応し爪を黄変させる事が判ってきたので、ニトロセルロースや有機溶剤を使わず、その代わりに乳化系ポリマーと水を用いるものが開発されている。しかし未だ普及はしていない。
【０００４】
そして従来のマニキュア被膜を除去するには溶剤やアルカリ液が除去液（除光液）として用いられているが、単に脱脂綿やスポンジでなる綿状体、（軟質プラスチック発泡体を含む）にこの除去液を浸したもので払拭するだけであったので、除去液がマニキュア被膜以外の手足指先等に付着し、除去液に溶けたマニキュア被膜が周辺に付着して完全な除去が困難であり、また思わず大量の除去液が爪と指先共に付着して爪と指先他を痛める事があった。従ってこの危険性と面倒さから、マニキュアを持っていても余り使用しない婦人が多かった事も事実である。
【０００５】
加えて、従来マニキュア除去液は僅かな間隙を通って気中に蒸発し、消失し易いので、蓋の締め方が不充分な場合、久方振りにいざ使いたい時に機能しないことが少なくなかった。これらが従来の問題点であつた。
【０００６】
そこで本発明者は簡単で有効な専用のマニキュア除去器を工夫する事により、これらの問題点を解決し得る事を知り、完成した発明（発明の名称：マニキュア除去器）は特許出願の結果、既に特許（特許第２７４１４８７号）されている。
【０００７】
しかし、前記発明でもなお不充分な場合があったので、本発明者は更に発明を改良する必要に迫られていた。
【０００８】
そこで本発明者は指保護鞘をその先端部においても容器底に枢着する事により、その位置決めの正確さを向上させ得る事を知り、更に弾性フランジ部に空洞を設けて除去液を蓄え、指圧によって容器内に除去液を小孔を通って補給するようにし、筒内の綿状体が一時的に乾燥した場合にも対応出来、長寿命化したエナメル除去器である発明に到達した。これについても特許出願済み（特願２０００−１０３３３９）である。しかし、なお、有底中空円錐状の指保護鞘の下端部中央部を中心として容器底中心部に枢着する構造では爪露出部における爪と綿状体との選択接触が不充分となる場合があった。
【０００９】
また爪露出部にカバーがない場合にも不必要な爪以外の指表面払拭が生じる危険性があった。
【００１０】
【発明の目的】
本発明の目的は、閉蓋時には除去液自体もしくは発生する溶剤等の揮発性気体の露出を防止し、必要な場合のみ開蓋して容易にエナメル塗装した指先を挿入回動してほぼエナメル塗装した爪のみを綿状体と接触させる事により、容易にエナメル被膜を除去する事が出来、かつその際手足指等の皮膚部を除去液によって痛めず、爪と綿状体の接触が長期に亘って安全確実なエナメル除去器を提供する事である。
【００１１】
本発明の他の目的は、使用時もしくは不使用時を通じて僅かな隙間を通って蒸発消失し易い除去液の喪失を、フランジ内可撓空洞に蓄えた除去液で容器内綿状体に補給する事である。
【００１２】
更に異形中空円錐状の指保護鞘を偏心配置するなどして、カバーの有無に拘らず積極的に爪のみを選択払拭するようにする事である。
【００１３】
【発明の構成】
本発明により、
除去液を含浸した綿状態を内壁面に沿って収容する略有底筒状容器と、上部開口端にそのフランジ部を回動可能に懸架され前記有底筒状容器内の底部に枢着される下端部付近から上方に向って開口する爪露出窓を備える有底筒状もしくは底方向に向ってすぼまる略中空円錐状の指保護鞘（１箇以上）と、該上部開口端付近の螺子部で螺着される逆Ｕ字型断面の容器蓋とを備えてなる爪エナメル除去器において、前記指保護鞘の下端部軸心ＰＣが爪露出窓の反対方向に指軸ＦＡとの交叉角θ（１°≦θ≦３０°）だけ偏心している事を特徴とする爪エナメル除去器（請求項１）、
指保護鞘が、おおよそ人の手指もしくは足指の最大公約数的断面の連続体である内腔部を有する弾性プラスチックおよび／もしくはゴムおよび／もしくは金属および／もしくはセラミック製の指保護鞘である請求項１に記載の爪エナメル除去器（請求項２）、
指保護鞘が、上部の指先挿入口内側に軟質プラスチック膜でなる１対の重合する半月形閉止弁を備える指保護鞘である請求項１ないし２に記載の爪エナメル除去器（請求項３）、
除去液が、溶剤および／もしくは洗剤と水とでなる除去液である請求項１ないし３に記載の爪エナメル除去器（請求項４）、
指保護鞘の弾性プラスチックおよび／もしくはゴム製フランジ部内に環状もしくは部分環状の空洞を備える請求項１ないし４に記載の爪エナメル除去器（請求項５）、
環状もしくは部分環状の空洞内に、予め除去液を内蔵させ、指の外拡加圧運動により空洞の下方に設けられた小孔より該除去液を容器内の綿状体に供給可能とした請求項１ないし５に記載の爪エナメル除去器（請求項６）、
小孔が注射針によって穿設された自動閉止型小孔である請求項６に記載の爪エナメル除去器（請求項７）
および
綿状体が、連続気泡多数を備える反転厚肉管状スポンジ（軟質プラスチック発泡体）である請求項１ないし７に記載の爪エナメル除去器（請求項８）
が提供される。
【００１４】
以下に実施例を用いて本発明を詳細に説明する。
【００１５】
【実施例】
図１Ａは実施例の側面から見た断面図、図１Ｂは他の実施例の側面図、図１Ｃは同実施例の正面図、図２Ａは他の実施例の断面図、図２Ｂは斜下方から見た実施例透過斜視図、図３はカバー付き指保護鞘の平面図、図４は同側面図、図５は枢着軸方向から見たカバー付指保護鞘の底面図、図６は３箇のＳ，Ｍ，Ｌサイズの指保護鞘を１筒の据置型有底筒状容器にセットした実施例すなわち据置型マルチ爪エナメル除去器の斜視図、図７は実施例の爪表面外径部軌跡が拡径する状況を示す平面図、図８は従来の爪表面外径部軌跡を示す平面図、図９は実施例の一部をなす綿状体（厚肉管状のスポンジ）の斜視図、図１０は反転中の図９の綿状体斜視図、図１１は反転後キノコ状の図１０の綿状体斜視図、図１２は半月形閉止弁を備える指保護鞘の平面図、図１３は図１２のＩ−Ｊ断面図、図１４は半月形閉止弁が開いた状態の概念図、図１５はペディキュア用の爪エナメル除去器実施例の斜視透視図、図１６は同正面図である。
【００１６】
図１Ａから図１６において、
１は爪エナメル除去器、２は有底筒状容器、２Ａは容器開口部、３は螺子部、４は軸受、５は容器蓋、７は指保護鞘、７Ａは指挿入孔、７Ｂは爪露出窓、７Ｃは指保護鞘先端部、７Ｄは支持軸、７Ｅ，７Ｆは窓枠フランジ、７Ｒはレール、７Ｓはカバー、７Ｔは伸縮部、８はフランジ張出部（パッキング部）、８Ａはフランジ部、９は空洞（除去液タンク）、１０，１０Ａ，１０Ｂ，１０Ｃは綿状体、２０は指、２１は爪、２４は足指、３０は除去液、３１は芯材、４２は小孔、４３は除去液インジェクション、５０は隙間、５４は孔、５５は中底、６０は据置型マルチ爪エナメル除去器、６０Ａは同容器、７０は半月形閉止弁、７０Ａは同重合部、７１は係止用ゴムリング、８０はペディキュア爪エナメル除去器、８０Ａは同容器である。またＰＣは指保護鞘の下端部軸心、ＦＡは指軸である。
【００１７】
図１Ａ〜図４において、筒状容器２の内部底部のほぼ中心に軸受４が容器と一体構成されており、容器内部にはその内壁に沿って除去液を含浸した綿状体１０がつまっている。指保護鞘７は図１Ａでは中空円錐状でやや高剛性であり肉厚は下方に向って小さくなるテーパがついている。図２Ａの場合は指保護鞘７はゴム手袋の如く軟質であり、指２０の表面にぴったりと密着している。
【００１８】
図１Ａ，１Ｂ，１Ｃ，図２Ａ，２Ｂ，２Ｃのいづれの場合も、本発明では容器上端部におけるフランジ部８Ａの中心と同下端部支持軸とは一致しており、自由回動するが、略中空円錐状指保護鞘の軸すなわち指の第１、第２関節の中心間を繋ぐ軸ＦＡ（厳密なものではなく指の長手方向軸と云っても良い。）とは交叉部で角度θだけズレており、換言すれば偏心しており直線状にはない。角度θは少なくとも１°はないと、本発明効果が現われず、３０°を超えると指保護鞘の外径が大きくなり過ぎ、実用的でないので、１°≦θ≦３０°とした。
【００１９】
その結果、図８に示す従来のような単なる円錐外周の円周半径よりも、図７に示すように本発明ではΔｒだけ扇状に大きい半径Ｒ（＝ｒ＋Δｒ）で綿状体に爪先が接触し、カバーがない場合でも指先部が選択払拭される。加えて、保護鞘に挿入された指の指軸ＦＡの先端部が、保護鞘軸芯ＰＣより外側にズレているので保護鞘への回転モーメントが得られ易くなり、従来よりも軽く回動出来る効果がある。
【００２０】
勿論後述するカバーで爪先以外の指を被覆すれば更に確実になる事は言う迄もない。
【００２１】
カバーについては図３〜４に示すように指露出窓の軸方向窓枠に沿って設けられた１対のレール７Ｒ、７Ｒを伸縮部７Ｓを有するカバーが２〜６ｍｍ程度摺動し上下調節可能としておけば、更に選択払拭が容易となる。またカバーの上下は指先との摩擦によって起るようにしておけば、自動的に開閉させる事が出来る。
【００２２】
次に図６のような机上もしくは床上の据置型マルチエナメル除去器６０の蓋に複数の回動する大・小の指保護鞘を配設すると家族で共用することも出来、便利である。なおこの場合は容器６０Ａには孔５４が複数箇開けられた中底５５が内壁に固定されており、各指保護鞘７，７…の軸受４，４…がその上面に固着されていて、各保護鞘７，７…は上から挿入した指によって回動自由である。更に底部に除去液３０を貯溜しておき、これを芯材３１で上部の綿状体と繋げば、手細管現象によって、綿状体に必要量だけ除去液を供給する事が出来る。
【００２３】
図１Ａ〜図４において共に指保護鞘７の先端部７Ｃから上方に向って拡がる爪露出窓７Ｂが開いている。爪露出窓は図２の如く爪２１の周囲を囲み、開口部の比較的小さい爪露出窓７Ｂもあるし、図１Ａ〜図１Ｃの如く比較的大きく上部まで開いた開口部の大きい爪露出窓７Ｂも本発明の実施例である。
【００２４】
図２Ａの場合は当然爪２１のみが露出しているので指の皮膚部を痛めない本発明効果が得られるが、指を抜く時に指が指保護鞘と密着していると抜け難く、場合によってはゴム手袋から指を抜く時に見られるような巻き付きが生じて鞘７が変形し、支持軸７Ｄが軸受４から離脱して、指抜が困難になる場合があった。それに比して図１のようなやや剛性の高い指保護鞘では、爪露出窓７Ｂをやや広く取っていても、指挿入孔７Ａに挿入した指を９０°ないし１８０°回動する事により、反対側の壁が綿状体１０を押し拡げるので、隙間５０が生じ、爪２１以外の露出部であっても余り綿状体１０との摩擦が生じないメリットがある。しかし指抜性は鞘が巻き付かないため極めて良好である。
【００２５】
指サイズのバラツキの大きい場合には図２よりも図１のタイプが適応範囲が広い。なお、鞘７の先端部には支持軸７Ｄが一体加工によって爪露出窓の反対側に偏心して配設されており、これが容器底面の軸受４に枢着されているので、鞘７の剛性いかんに拘わらず、前述のような抜取り時指への巻き付きさえ生じなければ、鞘７自体の位置決めは保たれる。
【００２６】
なお、鞘７の上部には円環状のフランジ部８Ａがあり、そのさらに上部にはフランジ張出部８が環状に張り出しており、容器２の上部開口部２Ａの上端面と容器蓋５との間でパッキングの役割を果たす。なお、容器２の上部外側面には螺子部３が設けられており、その外側の容器蓋内側の螺子部と螺合する。
【００２７】
容器２の素材は透明／半透明／不透明の硝子や硬質プラスチックでよいが、容器蓋５は半硬質もしくは硬質プラスチックが良い。これらに比して指保護鞘７は軟質もしくは半硬質／硬質の弾性プラスチック（エラストマー）、ないしゴムによる一体成形もしくはこれらの機械的な組み合わせが望ましい。
【００２８】
例えば、パッキング作用の必要なフランジ張出部８は合成ゴムで、他のフランジ部８Ａや鞘の胴部は耐溶剤性のプラスチック素材を用いても良い。いづれにせよ、加工性と耐アルカリもしくは耐溶剤性をを兼備したプラスチックないしゴムが好適に使用される。さらに指保護鞘の材質は各種ゴム、エラストマーの他に、各種プラスチックス、硬質のＡｌ、Ａｌ合金、ステンレス鋼の他、各種セラミックスないしこれらの組合せである事が出来る。
【００２９】
なお、指挿入口７Ａは図３，４，５，８に示されるように指への適応性と指回動によるトルクを鞘７全体に伝えるために略半月形をなしている。尤も、鞘自体は中空円錐体に限らず、有底円筒状であっても良い事は云う迄もない。
【００３０】
また、鞘の爪露出窓７Ｂの縁には、内側に凸の山状の窓枠フランジ７Ｅ，７Ｆを配設すると、窓７Ｂ自体の剛性が高まり、かつ指２０と鞘７との間を指露出窓の窓７Ｂの周囲で、挿入された指２０との間を確実に固定する事が出来る。
【００３１】
但し、良好に設計された範囲のサイズの指を挿入する場合であれば、この窓枠フランジ７Ｅ，７Ｆ（７Ｅは軸方向、７Ｆは軸にほぼ直角方向に沿っている）は必ずしも必要ない。要は鞘７が、適用される指との関係で指サイズの最大公約数的形状をしている事が重要である。
【００３２】
更に容器蓋を締め忘れたり、密閉が不完全な場合であって除去液として溶剤を用いた場合は特に、除去液の蒸散、揮発による喪失が生じ易く、使いたい時に使えない悲劇が生じる。そこで図２Ａに示されるように鞘７のフランジ部８Ａに環状もしくは隔壁をもった部分環状の空洞（除去液タンク）９を一箇以上設け、予め下側から注射器で注射して除去液を補給貯溜しておくと容器内の乾燥した綿状体１０に除去液３０を補給する事が容易に出来る。
【００３３】
そのために鞘７を取り外してフランジ８Ａの底部から、注射器で除去液３０を注入しておく。この時、なるべく空洞９内に空気の残留を防止して収容能力を上げるためにフランジ部８Ａを押し縮めておいて、もう一方の手で注射器を押して、除去液３０を注入すると良い。その上で、鞘７を容器２にセットして図２のように指を矢印方向に動かして指挿入口７Ａの周囲を加圧拡張すると、素材弾力により、注射針を抜いた後は収縮閉鎖されていた小孔４２が幾分開いて、下方に除去液インジェクション４３，４３が噴射され、重力と毛細管現象により綿状体１０は再び充分に湿潤される。図９のような厚肉管状スポンジ１０Ａを図１０の矢印のように指先で圧入しても表裏を反転させると図１１のようなキノコ状のスポンジ１０Ｃとなる。このようにして容器内綿状体として用いると、指保護鞘に接触する内面密度を比較的高くする事が出来るため、限られた容器スペース中で必要な爪表面に対する適度な圧力と含浸除去液を得る事が出来る。
【００３４】
図１５〜図１６に示される足指用のペディキュア爪エナメル除去器は手指用と異なり、下向きに足指を挿入する事が困難な事、指間隔を開け難い事を考慮して設けられた実施例である。即ち容器８０Ａは指径プラスアルファ程度の厚さの薄肉直方体であって、指挿入方向は略水平方向として、容器自体を左右に回動して使用する。指保護鞘のない容器内スペースには比較的多くの除去液含浸綿状体を蓄えておく事が出来る。
【００３５】
図１２，１３，１４は夫々半月形閉止弁を備える指保護鞘の平面図、図１２のＩ−Ｊ断面図、半月形閉止弁が開いた状態の概念図である。通常は１対の閉止弁７０，７０が重合部７０Ａで重合し、閉止しているが指を挿入すると図１４の如く指先ないし爪先で開き、必要な開度で開く、指を指保護鞘から抜くと半月形閉止弁は自らの弾力で復元閉止する。なお、半月形閉止弁を指保護鞘のフランジ部８Ａにしっかり固定するため、係止用ゴムリングによって閉止弁のフランジ部が指サックの係止部のようになっており、指の出し入れによって容易には破れない構造である。
【００３６】
【発明の効果】
本発明を実施する事により、前記目的のすべてが達成される。すなわち、閉蓋時には除去液自体もしくは発生する溶剤等の揮発性気体の漏出を防止し、必要な場合のみ開蓋して容易にエナメル塗装した指先を挿入回動して容易にエナメル被膜を選択除去する事が出来、かつその際手指の皮膚部を除去液によって痛めない長寿命のエナメル除去器を提供する事が出来る。
【００３７】
また使用時もしくは不使用時を通じて僅かな隙間を通って蒸発消失し易い除去液の喪失を、フランジ内可撓空洞に蓄えた除去液で容器内綿状体に補給する事が出来る。
【図面の簡単な説明】
【図１Ａ】実施例の要部の側面から見た断面図。
【図１Ｂ】他の実施例の側面図。
【図１Ｃ】同実施例の正面図。
【図２Ａ】他の実施例の断面図。
【図２Ｂ】斜下方から見た実施例透過斜視図。
【図３】カバー付き指保護鞘の平面図。
【図４】同側面図。
【図５】枢着軸方向から見たカバー付指保護鞘の底面図。
【図６】３箇のＳ，Ｍ，Ｌサイズの指保護鞘を１筒の据置型有底筒状容器にセットした実施例の斜視図。
【図７】実施例の爪表面影外径部軌跡が拡径する状況を示す平面図。
【図８】従来の爪表面影外径部軌跡を示す平面図。
【図９】実施例の一部をなす綿状体（厚肉管状のスポンジ）の斜視図。
【図１０】反転中の図９の綿状体斜視図。
【図１１】反転後の図１０の綿状体斜視図。
【図１２】半月形閉止弁を備える指保護鞘の平面図。
【図１３】図１２のＩ−Ｊ断面図。
【図１４】半月形閉止弁が開いた状態の概念図。
【図１５】ペディキュア用の爪エナメル除去器実施例の斜視透視図。
【図１６】同正面図。
【符号の説明】
１　　　　　　　爪エナメル除去器
２　　　　　　　有底筒状容器
２Ａ　　　　　　容器開口部
３　　　　　　　螺子部
４　　　　　　　軸受
５　　　　　　　容器蓋
７　　　　　　　指保護鞘
７Ａ　　　　　　指挿入孔
７Ｂ　　　　　　爪露出窓
７Ｃ　　　　　　指保護鞘先端部
７Ｄ　　　　　　支持軸
７Ｅ，７Ｆ　　　窓枠フランジ
７Ｔ　　　　　　伸縮部
８　　　　　　　フランジ張出部（パッキング部）
８Ａ　　　　　　フランジ部
９　　　　　　　空洞（除去液タンク）
１０，１０Ａ，１０Ｂ，１０Ｃ　綿状体
２０　　　　　　指
２１　　　　　　爪
２２　　　　　　親指
２３　　　　　　人差指
３０　　　　　　除去液
４２　　　　　　小孔
４３　　　　　　除去液インジェクション
５０　　　　　　隙間
５５　　　　　　中底
６０　　　　　　据置型マルチ爪エナメル除去器
７０　　　　　　半月形閉止弁
７０Ａ　　　　　同重合部
７１　　　　　　係止用ゴムリング
ＰＣ　　　　　　指保護鞘の下端部軸心
ＦＡ　　　　　　指軸
【図１Ａ】
2004008427.tif 000003
【図１Ｂ】
2004008427.tif 000004
【図１Ｃ】
2004008427.tif 000005
【図２Ａ】
2004008427.tif 000006
【図２Ｂ】
2004008427.tif 000007
【図３】
2004008427.tif 000008
【図４】
2004008427.tif 000009
【図５】
2004008427.tif 000010
【図６】
2004008427.tif 000011
【図７】
2004008427.tif 000012
【図８】
2004008427.tif 000013
【図９】
2004008427.tif 000014
【図１０】
2004008427.tif 000015
【図１１】
2004008427.tif 000016
【図１２】
2004008427.tif 000017
【図１３】
2004008427.tif 000018
【図１４】
2004008427.tif 000019
【図１５】
2004008427.tif 000020
【図１６】
2004008427.tif 000021